【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  分散及び／又は粉砕する無機物質が親水性であるか疎水性であるかを問わずに無機物質の水性懸濁液用の分散剤及び／又は粉砕助剤としてのコポリマーの使用であって、前記コポリマーが、
ａ）アクリル酸、メタクリル酸、クロトン酸、イソクロトン酸、桂皮酸等の一酸から必須に選択され、場合によりイタコン酸、フマル酸、マレイン酸、シトラコン酸等の二酸、無水マレイン酸等の無水カルボン酸、及びマレイン酸もしくはイタコン酸のＣ１〜Ｃ４モノエステル等の二酸半エステル、又はそれらの混合物を加えてもよい、エチレン性不飽和とカルボン酸基をもつ少なくとも１種のモノマーと、
ｂ）任意成分として、アクリルアミドメチルプロパンスルホン酸、メタリルスルホン酸ナトリウム、ビニルスルホン酸及びスチレンスルホン酸から選択される、エチレン性不飽和とスルホン酸基をもつモノマーであるか、エチレングリコールメタクリレートホスフェート、プロピレングリコールメタクリレートホスフェート、エチレングリコールアクリレートホスフェート、プロピレングリコールアクリレートホスフェート及びそれらのエトキシレートから選択される、エチレン性不飽和とリン酸基をもつモノマーであるか、又はそれらの混合物である少なくとも１種のモノマーと、
ｃ）任意成分として、メチルアクリレート、メチルメタクリレート、エチルアクリレート、エチルメタクリレート、ブチルアクリレート、ブチルメタクリレート、２−エチルヘキシルアクリレート、２−エチルヘキシルメタクリレート等のアクリル酸エステルもしくはメタクリル酸エステル；アクリロニトリル、メタクリロニトリル、酢酸ビニル、スチレン、メチルスチレン、ジイソブチレン、ビニルピロリドン、ビニルカプロラクタム；アクリルアミド、メタクリルアミド等の不飽和アミド又は例えばジメチルアミノプロピルアクリルアミドもしくはジメチルアミノプロピルメタクリルアミド等のその置換誘導体；グリコールのアクリル酸エステルもしくはメタクリル酸エステル；メタクリルアミドプロピルトリメチルアンモニウムクロリドもしくはメタクリルアミドプロピルトリメチルアンモニウムスルフェート；トリメチルアンモニウムエチルクロリドのメタクリレートもしくはトリメチルアンモニウムエチルスルフェートのメタクリレート、並びにそれらのアクリレート及び第４級化アクリルアミド対応物及び／又はジメチルジアリルアンモニウムクロリドから構成される群から選択される、エチレン性不飽和をもち且つカルボン酸基をもたない少なくとも１種のモノマーと、
ｄ）一般式（Ｉ）：
【化１】
1999104479.tif 000001
［式中、ｍ及びｐは１００以下のアルキレンオキシドユニットの数を表し、ｎは１００以下のエチレンオキシドユニットの数を表し、ｑは１又は１より大きい数であって且つ０≦ｑ（ｎ＋ｍ＋ｐ）≦１００となるような数を表し、Ｒ１は水素、メチル基又はエチル基を表し、Ｒ２は水素、メチル基又はエチル基を表し、Ｒはアクリル酸エステル、メタクリル酸エステル、マレイン酸エステル、イタコン酸エステル、クロトン酸エステル、ビニルフタル酸エステルからなる群、又はアクリルウレタン、メタクリルウレタン、α−α’−ジメチル−ｍ−イソプロペニルベンジルウレタン、アリルウレタン等の不飽和ウレタンの群に属する重合性不飽和基を表し、Ｒ’は、Ｒが不飽和ウレタンの群に属する不飽和基を表すときには、トリスチリルフェニル及び炭素原子数が８以上の直鎖もしくは分枝鎖アルキル、アルキルアリール、アリールアルキル、アリール基又は炭素原子数が８以上のジアルキルアミン等の疎水基を表し、Ｒがアクリル酸エステル、メタクリル酸エステル、マレイン酸エステル、イタコン酸エステル、クロトン酸エステル又はビニルフタル酸エステルの群に属する重合性不飽和基を表すときには、トリスチリルフェニル及び炭素原子数が３０より多い直鎖もしくは分枝鎖アルキル、アルキルアリール、アリールアルキル、アリール基又は炭素原子数が２２以上のジアルキルアミン等の疎水基を表す］のエチレン性不飽和をもち且つ末端に疎水鎖をもつ少なくとも１種のオキシアルキル化モノマーから構成され、成分（ａ）、（ｂ）、（ｃ）及び（ｄ）の合計が１００であり、５０以下、好ましくは２５以下の比粘度をもつことを特徴とする前記使用。
【請求項２】  コポリマーが、
ａ）アクリル酸、メタクリル酸、クロトン酸、イソクロトン酸、桂皮酸等の一酸から必須に選択され、場合によりイタコン酸、フマル酸、マレイン酸、シトラコン酸等の二酸、無水マレイン酸等の無水カルボン酸、及びマレイン酸もしくはイタコン酸のＣ１〜Ｃ４モノエステル等の二酸半エステル、又はそれらの混合物を加えてもよい、エチレン性不飽和とカルボン酸基をもつ少なくとも１種のモノマー９９〜１０重量％と、
ｂ）アクリルアミドメチルプロパンスルホン酸、メタリルスルホン酸ナトリウム、ビニルスルホン酸及びスチレンスルホン酸から選択される、エチレン性不飽和とスルホン酸基をもつモノマーであるか、エチレングリコールメタクリレートホスフェート、プロピレングリコールメタクリレートホスフェート、エチレングリコールアクリレートホスフェート、プロピレングリコールアクリレートホスフェート及びそれらのエトキシレートから選択される、エチレン性不飽和とリン酸基をもつモノマーであるか、又はそれらの混合物である少なくとも１種のモノマー０〜５０重量％と、
ｃ）メチルアクリレート、メチルメタクリレート、エチルアクリレート、エチルメタクリレート、ブチルアクリレート、ブチルメタクリレート、２−エチルヘキシルアクリレート、２−エチルヘキシルメタクリレート等のアクリル酸エステルもしくはメタクリル酸エステル；アクリロニトリル、メタクリロニトリル、酢酸ビニル、スチレン、メチルスチレン、ジイソブチレン、ビニルピロリドン、ビニルカプロラクタム；アクリルアミド、メタクリルアミド等の不飽和アミド又は例えばジメチルアミノプロピルアクリルアミドもしくはジメチルアミノプロピルメタクリルアミド等のその置換誘導体；グリコールのアクリル酸エステルもしくはメタクリル酸エステル；メタクリルアミドプロピルトリメチルアンモニウムクロリドもしくはメタクリルアミドプロピルトリメチルアンモニウムスルフェート；トリメチルアンモニウムエチルクロリドのメタクリレートもしくはトリメチルアンモニウムエチルスルフェートのメタクリレート、並びにそれらのアクリレート及び第４級化アクリルアミド対応物及び／又はジメチルジアリルアンモニウムクロリドから構成される群から選択される、エチレン性不飽和をもち且つカルボン酸基をもたない少なくとも１種のモノマー０〜５０重量％と、
ｄ）一般式（Ｉ）：
【化２】
1999104479.tif 000002
［式中、ｍ及びｐは１００以下のアルキレンオキシドユニットの数を表し、ｎは１００以下のエチレンオキシドユニットの数を表し、ｑは１又は１より大きい数であって且つ０≦ｑ（ｎ＋ｍ＋ｐ）≦１００となるような数を表し、Ｒ１は水素、メチル基又はエチル基を表し、Ｒ２は水素、メチル基又はエチル基を表し、Ｒはアクリル酸エステル、メタクリル酸エステル、マレイン酸エステル、イタコン酸エステル、クロトン酸エステル、ビニルフタル酸エステルからなる群、又はアクリルウレタン、メタクリルウレタン、α−α’−ジメチル−ｍ−イソプロペニルベンジルウレタン、アリルウレタン等の不飽和ウレタンの群に属する重合性不飽和基を表し、Ｒ’は、Ｒが不飽和ウレタンの群に属する不飽和基を表すときには、トリスチリルフェニル及び炭素原子数が８以上の直鎖もしくは分枝鎖アルキル、アルキルアリール、アリールアルキル、アリール基又は炭素原子数が８以上のジアルキルアミン等の疎水基を表し、Ｒがアクリル酸エステル、メタクリル酸エステル、マレイン酸エステル、イタコン酸エステル、クロトン酸エステル又はビニルフタル酸エステルの群に属する重合性不飽和基を表すときには、トリスチリルフェニル及び炭素原子数が３０より多い直鎖もしくは分枝鎖アルキル、アルキルアリール、アリールアルキル、アリール基又は炭素原子数が２２以上のジアルキルアミン等の疎水基を表す］のエチレン性不飽和をもち且つ末端に疎水鎖をもつ少なくとも１種のオキシアルキル化モノマー１〜９０重量％から構成され、成分（ａ）、（ｂ）、（ｃ）及び（ｄ）の合計が１００であり、５０以下、好ましくは２５以下の比粘度をもつことを特徴とする、請求項１に記載の分散剤及び／又は粉砕助剤としてのコポリマーの使用。
【請求項３】  コポリマーが、
ａ）アクリル酸、メタクリル酸、クロトン酸、イソクロトン酸、桂皮酸等の一酸から必須に選択され、場合によりイタコン酸、フマル酸、マレイン酸、シトラコン酸等の二酸、無水マレイン酸等の無水カルボン酸、及びマレイン酸もしくはイタコン酸のＣ１〜Ｃ４モノエステル等の二酸半エステル、又はそれらの混合物を加えてもよい、エチレン性不飽和とカルボン酸基をもつ少なくとも１種のモノマー９７〜５０重量％と、
ｂ）アクリルアミドメチルプロパンスルホン酸、メタリルスルホン酸ナトリウム、ビニルスルホン酸及びスチレンスルホン酸から選択される、エチレン性不飽和とスルホン酸基をもつモノマーであるか、エチレングリコールメタクリレートホスフェート、プロピレングリコールメタクリレートホスフェート、エチレングリコールアクリレートホスフェート、プロピレングリコールアクリレートホスフェート及びそれらのエトキシレートから選択される、エチレン性不飽和とリン酸基をもつモノマーであるか、又はそれらの混合物である少なくとも１種のモノマー０〜５０重量％と、
ｃ）メチルアクリレート、メチルメタクリレート、エチルアクリレート、エチルメタクリレート、ブチルアクリレート、ブチルメタクリレート、２−エチルヘキシルアクリレート、２−エチルヘキシルメタクリレート等のアクリル酸エスエルもしくはメタクリル酸エステル；アクリロニトリル、メタクリロニトリル、酢酸ビニル、スチレン、メチルスチレン、ジイソブチレン、ビニルピロリドン、ビニルカプロラクタム；アクリルアミド、メタクリルアミド等の不飽和アミド又は例えばジメチルアミノプロピルアクリルアミドもしくはジメチルアミノプロピルメタクリルアミド等のその置換誘導体；グリコールのアクリル酸エステルもしくはメタクリル酸エステル；メタクリルアミドプロピルトリメチルアンモニウムクロリドもしくはメタクリルアミドプロピルトリメチルアンモニウムスルフェート；トリメチルアンモニウムエチルクロリドのメタクリレートもしくはトリメチルアンモニウムエチルスルフェートのメタクリレート、並びにそれらのアクリレート及び第４級化アクリルアミド対応物及び／又はジメチルジアリルアンモニウムクロリドから構成される群から選択される、エチレン性不飽和をもち且つカルボン酸基をもたない少なくとも１種のモノマー０〜５０重量％と、
ｄ）一般式（Ｉ）：
【化３】
1999104479.tif 000003
［式中、ｍ及びｐは１００以下のアルキレンオキシドユニットの数を表し、ｎは１００以下のエチレンオキシドユニットの数を表し、ｑは１又は１より大きい数であって且つ０≦ｑ（ｎ＋ｍ＋ｐ）≦１００となるような数を表し、Ｒ１は水素、メチル基又はエチル基を表し、Ｒ２は水素、メチル基又はエチル基を表し、Ｒはアクリル酸エステル、メタクリル酸エステル、マレイン酸エステル、イタコン酸エステル、クロトン酸エステル、ビニルフタル酸エステルからなる群、又はアクリルウレタン、メタクリルウレタン、α−α’−ジメチル−ｍ−イソプロペニルベンジルウレタン、アリルウレタン等の不飽和ウレタンの群に属する重合性不飽和基を表し、Ｒ’は、Ｒが不飽和ウレタンの群に属する不飽和基を表すときには、トリスチリルフェニル及び炭素原子数が８以上の直鎖もしくは分枝鎖アルキル、アルキルアリール、アリールアルキル、アリール基又は炭素原子数が８以上のジアルキルアミン等の疎水基を表し、Ｒがアクリル酸エステル、メタクリル酸エステル、マレイン酸エステル、イタコン酸エステル、クロトン酸エステル又はビニルフタル酸エステルの群に属する重合性不飽和基を表すときには、トリスチリルフェニル及び炭素原子数が３０より多い直鎖もしくは分枝鎖アルキル、アルキルアリール、アリールアルキル、アリール基又は炭素原子数が２２以上のジアルキルアミン等の疎水基を表す］のエチレン性不飽和をもち且つ末端に疎水鎖をもつ少なくとも１種のオキシアルキル化モノマー３〜５０重量％から構成され、成分（ａ）、（ｂ）、（ｃ）及び（ｄ）の合計が１００であり、５０以下、好ましくは２５以下の比粘度をもつことを特徴とする、請求項２に記載の分散剤及び／又は粉砕助剤としてのコポリマーの使用。
【請求項４】  Ｒがメタクリル酸エステル群又はメタクリルウレタンの群に属する基を表すとき、Ｒ'がトリスチリルフェニル等の疎水基を表すことを特徴とする請求項１〜３のいずれか一項に記載の分散剤及び／又は粉砕助剤としてのコポリマーの使用。
【請求項５】  コポリマーが酸形態であるか、あるいはアルカリカチオン、特にナトリウム、カリウムもしくはアンモニウム、又はステアリルアミン、エタノールアミン（モノ、ジ、トリエタノールアミン）、モノ及びジエチルアミン、シクロヘキシルアミン、メチルシクロヘキシルアミン等の脂肪族及び／又は環状第１、第２もしくは第３アミン類により構成される群から選択される、１種以上の１価の中和剤及び／又はアルカリ土類２価カチオン、特にマグネシウム及びカルシウム、又は亜鉛、３価カチオン、特にアルミニウム、もしくは４価以上の所定のカチオンから構成される群から選択される、１種以上の多価の中和剤で部分的又は完全に中和されていることを特徴とする、請求項１から４のいずれか一項に記載の分散剤及び／又は粉砕助剤としてのコポリマーの使用。
【請求項６】  前記コポリマーが、無機物質乾燥重量に対してコポリマー乾燥画分０．０５〜５重量％の割合で導入されることを特徴とする請求項１から５のいずれか一項に記載の分散剤及び／又は粉砕助剤としてのコポリマーの使用。
【請求項７】  無機物質が帯電親水性表面をもつ無機物質から選択され、好ましくは天然もしくは合成炭酸カルシウム、ドロマイト、カオリン又はそれらの混合物、特に好ましくは白亜、方解石又は大理石から選択されることを特徴とする請求項１から６のいずれか一項に記載の分散剤及び／又は粉砕助剤としてのコポリマーの使用。
【請求項８】  無機物質が疎水性表面をもつ無機物質から選択され、好ましくはタルク、雲母又はそれらの混合物から選択されることを特徴とする請求項１から６のいずれか一項に記載の分散剤及び／又は粉砕助剤としてのコポリマーの使用。
【請求項９】  無機物質が親水性表面をもつ無機物質の混合物及び／又は疎水性表面をもつ無機物質の混合物、好ましくはタルクと炭酸カルシウム又はタルクとカオリンの混合物であることを特徴とする請求項１から６のいずれか一項に記載の分散剤及び／又は粉砕助剤としてのコポリマーの使用。